(57)【要約】      （修正有）【課題】送風機の始動時に生じるダクトの膨張音を低減させると共に、ダクト寿命の短縮化を防止する。【解決手段】温風機の送風機のモータ回路に介装した自動スイッチと、該自動スイッチをＯＮ、ＯＦＦさせるリレーと、該リレーの制御器とを組み合わせたことを特徴とする送風機の起動制御装置により構成される。【選択図】図２
0003133624.tif 000002
【実用新案登録請求の範囲】
【請求項１】
温風機の送風機のモータ回路に介装した自動スイッチと、該自動スイッチをＯＮ、ＯＦＦさせるリレーと、該リレーの制御器とを組み合わせたことを特徴とする送風機の起動制御装置。
【請求項２】
自動スイッチのＯＮ、ＯＦＦは、最初の起動時にＯＮの時間をＯＦＦの時間より短秒時とし、ついでＯＮ、ＯＦＦの繰り返しにつれて、ＯＮの時間を長くし、ＯＦＦの時間を逐次短くしたことを特徴とする請求項１記載の送風機の起動制御装置。
【請求項３】
自動スイッチのＯＮ、ＯＦＦの時間を次のようにしたことを特徴とする請求項１記載の送風機の起動制御装置。
（１）０．１秒ＯＮ−５秒ＯＦＦ
（２）０．２５秒ＯＮ−４秒ＯＦＦ
（３）０．５秒ＯＮ−３秒ＯＦＦ
（４）１秒ＯＮ−２秒ＯＦＦ
（５）３秒ＯＮ−１秒ＯＦＦ
【考案の詳細な説明】
【技術分野】
【０００１】
この考案は、温風機の送風機を導入起動する際、送風機のＯＮ、ＯＦＦを複数回繰り返すことにより、ダクトのふくらみを軽減し、かつ騒音の発生を低減させることを目的とした送風機の起動制御装置に関する。
【背景技術】
【０００２】
従来温風機の送風機は、電磁開閉器により、直入起動が主流であったが、直入起動では、ダクトへ急激に空気が吹き込まれ、ダクトの膨らみ音が激しく、ダクトの寿命が短かった。そこでインバーター制御に変えていた。例えば室温が設定温度を超え又は設定温度以下になった時には、インバーター制御により温風機を始動させ、温風を送風することにより、温度を自動的に制御していた。
【特許文献１】特許第２５５３４３８号
【考案の開示】
【考案が解決しようとする課題】
【０００３】
前記のように温風機の送風機は、ＯＮに際し、急激に送風するので、ダクトの膨らみ音（急激な送風開始の為にダクトが膨らむ際発する音）が発生し、騒音になるのみならず、急激な膨らみにより、ダクトの寿命を短縮する問題点があった。
【０００４】
そこで送風機はインバーター制御により自動制御し、前記問題点を解消していた。然し乍らインバーターのソフト起動する事により、ダクトを滑らかに膨らませ、騒音を防止し、ダクト寿命を長くする効果がある反面、インバーター採用による価格の上昇と、ノイズが発生する問題点があった。
【課題を解決するための手段】
【０００５】
この考案は、送風機の立ち上り送風時に生じるダクトの膨張を可及的に防止する為に、短秒時のＯＮ、ＯＦＦを複数回繰り返すこと（インチング起動という）により、前記従来の問題点を解決したのである。
【０００６】
即ちこの考案は、温風機の送風機のモータ回路に介装した自動スイッチと、該自動スイッチをＯＮ、ＯＦＦさせるリレーと、該リレーの制御器とを組み合わせたことを特徴とする送風機の起動制御装置である。
【０００７】
また他の考案は、自動スイッチのＯＮ、ＯＦＦは、最初の起動時にＯＮの時間をＯＦＦの時間より短秒時とし、ついでＯＮ、ＯＦＦの繰り返しにつれて、ＯＮの時間を長くし、ＯＦＦの時間を逐次短くしたものであり、自動スイッチのＯＮ、ＯＦＦの時間を次のようにしたものである。
【０００８】
（１）０．１秒ＯＮ−５秒ＯＦＦ
（２）０．２５秒ＯＮ−４秒ＯＦＦ
（３）０．５秒ＯＮ−３秒ＯＦＦ
（４）１秒ＯＮ−２秒ＯＦＦ
（５）３秒ＯＮ−１秒ＯＦＦ
【０００９】
前記におけるリレー制御器は、例えばリレー回路スイッチを、設定条件に従ってＯＮ、ＯＦＦ制御する機能を有する。
【００１０】
前記において、短秒時にＯＮ、ＯＦＦを繰り返すことにより、ダクト内の空気抵抗の高くなるのを防止し、ダクトの膨張を未然に防止して、ダクト音の低減と、ダクト寿命の低減を防止したのである。
【００１１】
またＯＮ、ＯＦＦの時間の長さを逆転させることによって、送風機に近いダクト内圧力と、送風機から遠いダクト内圧力とが、短秒時の間に一致し、送風機に近いダクトの膨張が極力阻止される。例えば送風機に近いダクト内に、送風機の設定圧力で送風されるが、送風機に遠いダクト内の空気は停止状態にある為に、送風機から吹き出される当初圧力が、ダクト全体に行き亘り、空気の流れが一定になるまでは、ダクトの内圧が不均等になり、内圧の高い部分のダクトが膨張することになり、ついで圧力低下と共に、膨張前の状態に戻るので、膨張と復帰による騒音が発生することになる。
【００１２】
前記のように、ダクトが膨張収縮を繰り返せば、これによりダクトに膨張収縮の繰り返しによる疲労を生じ、耐久性を損する結果となる。
【００１３】
この考案によれば、送風機の送風開始時に短秒時のＯＮ、ＯＦＦを繰り返すので、必然的にダクトへ掛かる内圧力が調整され、順次ダクト内の空気のスムースな流動を助長し、ＯＮ、ＯＦＦを複数回繰り返す間に、ダクト内の空気の流れは定常流となるので、送風機の間欠運転の繰り返しに際しても、ダクトに無理な内圧力が加えられず、スムースな定常流となる。
【００１４】
従って膨張音の発生がなく（又は少なく）、これに伴ってダクトの膨張収縮の繰り返しによる疲労も少なくなるので、耐久性を損するおそれがなくなる。
【００１５】
前記における送風機のＯＮ、ＯＦＦの時間は、ダクトの材質、断面積及び送風機の能力並びに風圧によって異なるが、当初のＯＮをＯＦＦより短くし、最終のＯＮはＯＦＦより長くした方が定常流を得るのに好ましい。またＯＮの時間は当初１秒より短くし、最後には数秒に達することが好ましく、回数は３回以上６回以内が好ましい。従って当初のＯＮは０．１秒前後、ＯＦＦは５秒前後、最後のＯＮは３〜５秒、ＯＦＦは１秒前後が採用されている。
【００１６】
前記において、回数が３回未満では、ダクト内の空気の定常流が未完成の為にダクトの膨張を阻止できないおそれがあり、６回を越えると、定常流になっているのに更にＯＮ、ＯＦＦを繰り返すので、無駄になることが認められた。また採用時間については、風量の伝達とダクトの膨張速度及び空気圧力の伝達速度を勘案し、当初のＯＮは０．１秒〜０．２秒が好ましく、最終回は少なくとも３秒が好ましい。ＯＦＦの時間は風圧の伝播を考慮して定めるが、最大でも５秒程度である。
【考案の効果】
【００１７】
この考案によれば、送風機の始動時に、複数回に亘ってＯＮ、ＯＦＦを短秒時繰り返すようにしたので、ダクトの膨張に伴って発生する騒音を低減すると共に、ダクトの疲労を軽減し、その耐久性を増大する効果がある。インバーター制御のようにノイズの発生もなく、安価に目的を達成できる効果がある。
【考案を実施するための最良の形態】
【００１８】
この考案は、温風機の送風機の始動を下記のようにＯＮ、ＯＦＦを複数回繰り返させ、然る後定常運転に移行させた。
【００１９】
（１）０．１秒ＯＮ−５秒ＯＦＦ
（２）０．２５秒ＯＮ−４秒ＯＦＦ
（３）０．５秒ＯＮ−３秒ＯＦＦ
（４）１秒ＯＮ−２秒ＯＦＦ
（５）３秒ＯＮ−１秒ＯＦＦ
【００２０】
前記のように短秒時のＯＮ−ＯＦＦの繰り返しにより、ダクト内の空気はスムースに定常流を得ることができた。
【００２１】
即ち定常流となれば、ダクトの膨張音は皆無となる。
【実施例１】
【００２２】
この考案の実施例を図１、２について説明すると、電源ブレーカをＯＮにすると、送風機のスイッチが入力され、バーナスイッチが入り、送風系が始動する。
【００２３】
前記送風機は始動時に図２のように下記時間宛ＯＮ、ＯＦＦを繰り返す。
【００２４】
（１）０．１秒ＯＮ−５秒ＯＦＦ
（２）０．２５秒ＯＮ−４秒ＯＦＦ
（３）０．５秒ＯＮ−３秒ＯＦＦ
（４）１秒ＯＮ−２秒ＯＦＦ
（５）３秒ＯＮ−１秒ＯＦＦ
【００２５】
前記ＯＦＦ１秒経過後、ＯＮになった場合にはそのまま運転を継続する。
【００２６】
即ちこの考案の起動を図１について説明すると（オプションなしの場合）、送風機スイッチが入り、送風機能が閉になり、バーナスイッチが入り、バーナ扉が閉になると、コンビネーション起動状態となる。ついで温度調整上送風機の起動を要する場合には、騒音なく、かつダクトの疲労もない前記で説明したインチング起動（ＯＮ、ＯＦＦの繰り返し）により送風機を始動する。従って騒音の発生も、ダクトの耐久性を損するおそれもなくなる。
【００２７】
また不着火の場合には、送風機は前記と同様にＯＮ、ＯＦＦを繰り返し、若干時間経過して不着火指示を受けた後停止する（図３）。
【００２８】
前記において、送風機のＯＮ、ＯＦＦ以外は、従来公知の温水暖房装置として各部が働くので（図１）、その詳細は省略する。
【図面の簡単な説明】
【００２９】
【図１】この考案の送風機を有する温風機のブロック図。
【図２】同じくインチング起動制御盤による空気の流れを示す一部を省略したタイムチャート。
【図３】同じく不着火時の空気の流れを示すタイムチャート。
【図１】
0003133624.tif 000003
【図２】
0003133624.tif 000004
【図３】
0003133624.tif 000005
【手続補正書】
【提出日】平成19年5月17日(2007.5.17)
【手続補正１】
【補正対象書類名】明細書
【補正対象項目名】００２８
【補正方法】変更
【補正の内容】
【００２８】
前記において、送風機のＯＮ、ＯＦＦ以外は、従来公知の温室暖房装置として各部が働くので（図１）、その詳細は省略する。